(57)【要約】【課題】冊子の綴じ部に近い位置の読取が可能な、原稿読取装置及び原稿読取装置に用いられる読取機構を提供すること。【解決手段】被読取面からの反射光を結像光学系１２０に導くために、被読取面を読み取る読取ユニット１００に導光プリズム１３０が含まれる。被読取面からの反射光は、被読取面に相対する導光プリズム１３０の第１側面１３１に入射し、第２側面１３２での全反射によって結像光学系１２０に導かれる。そして、第１側面１３１及び第１側面１３２よって形成される頂角１３３が、冊子ＢＫの綴じ部に侵入可能となる。従って、冊子ＢＫの綴じ部に近い位置の読取が可能となる。【選択図】図３
2010233024.tif 000002
【特許請求の範囲】
【請求項１】
所定の開き角で上方に開いた状態で接合される２つの斜面を有し、綴じ部を有する原稿を、原稿の背表紙が前記２つの斜面の接合部分に位置するように保持する原稿保持台と、
被読取面を上にして開いた状態で前記原稿保持台に保持された原稿の被読取面を読み取るために、
複数の受光素子を有し、前記綴じ部に沿った方向に被読取面の画像を取得するラインセンサと、
被読取面と前記ラインセンサとの間の光路中に設けられ、被読取面の像を前記ラインセンサに結像する結像光学系と、
被読取面と前記結像光学系との間の光路中に設けられ、被読取面からの反射光を前記結像光学系に導く角柱状の導光プリズムと、
を含む読取ユニットと、
前記原稿保持台に設けられ、前記読取ユニットを移動可能に案内する読取ユニット案内機構と、
前記読取ユニットを、前記導光プリズムの第１側面が被読取面に相対した状態で、被読取面に沿うようにして前記綴じ部方向に移動させる読取ユニット移動機構と、
被読取面を照らす光源とを備え、
前記第１側面と前記導光プリズムの第２側面とで形成される導光プリズム頂角は、前記綴じ部に挿入され、
前記第２側面は、前記第１側面から前記導光プリズム内部に入射した被読取面からの反射光を全反射し、
前記導光プリズムは、前記第２側面で全反射した被読取面からの反射光を前記前記結像光学系に対して出射し、
前記所定の開き角は、前記導光プリズム頂角の角度以上である、
ことを特徴とする原稿読取装置。
【請求項２】
前記ラインセンサは、前記第１側面における前記導光プリズム頂角に隣接する頂角隣接部と相対する被読取面の画像を取得可能なように、前記頂角隣接部と相対する被読取面と共役な位置に設けられる、
ことを特徴とする請求項１に記載の原稿読取装置。
【請求項３】
前記第１側面はさらに、前記第２側面が被読取面に相対する場合に、前記第２側面から前記導光プリズムの内部に入射した被読取面からの反射光を全反射し、
前記結像光学系はさらに、
前記第１側面が被読取面に相対する場合に、前記第２側面で全反射され前記導光プリズムから前記結像光学系に対して出射する被読取面からの反射光が前記ラインセンサに結像するように、光路を切り替え、
前記第２側面が被読取面に相対する場合に、前記第１側面で全反射され前記導光プリズムから前記結像光学系に対して出射する被読取面からの反射光が前記ラインセンサに結像するように、光路を切り替える光路切替機構を有する、
ことを特徴とする請求項１又は２に記載の原稿読取装置。
【請求項４】
前記光源は、前記導光プリズム中に設けられる、
ことを特徴とする請求項１〜３の何れか１項に記載の製本原稿読取装置。
【請求項５】
綴じ部を有する原稿を読み取る原稿読取装置に用いられる読取機構であって、
複数の受光素子を有し、被読取面の前記綴じ部に沿った方向に画像を取得するラインセンサと、
被読取面と前記ラインセンサとの間の光路中に設けられ、被読取面の像を前記ラインセンサに結像する結像光学系と、
被読取面と前記結像光学系との間の光路中に設けられ、被読取面からの反射光を前記結像光学系に導く角柱状の導光プリズムとを備え、
前記導光プリズムの第１側面と前記導光プリズムの第２側面とで形成される導光プリズム頂角は、前記綴じ部に挿入され、
前記第２側面は、被読取面に相対する前記第１側面から前記導光プリズム内部に入射した被読取面からの反射光を全反射し、
前記導光プリズムは、前記第２側面で全反射した被読取面からの反射光を前記結像光学系に対して出射する、
ことを特徴とする読取機構。
【請求項６】
前記ラインセンサは、前記第１側面における前記導光プリズム頂角に隣接する頂角隣接部と相対する被読取面の画像を取得可能なように、前記頂角隣接部と相対する被読取面と共役な位置に設けられる、
ことを特徴とする請求項５に記載の読取機構。
【請求項７】
前記第１側面はさらに、前記第２側面が被読取面に相対する場合に、前記第２側面から前記導光プリズムの内部に入射した被読取面からの反射光を全反射し、
前記結像光学系はさらに、
前記第１側面が被読取面に相対する場合に、前記第２側面によって全反射され前記導光プリズムから前記結像光学系に対して出射した被読取面からの反射光が前記ラインセンサに結像するように、光路を切り替え、
前記第２側面が被読取面に相対する場合に、前記第１側面によって全反射され前記導光プリズムから前記結像光学系に対して出射した被読取面からの反射光が前記ラインセンサに結像するように、光路を切り替える光路切替機構を含む、
ことを特徴とする請求項５又は６に記載の読取機構。
【請求項８】
被読取面を照らすために、前記導光プリズム中に設けられる光源をさらに備える、ことを特徴とする請求項５〜７の何れか１項に記載の読取機構。
【発明の詳細な説明】
【技術分野】
【０００１】
本発明は、被読取面を上にして開いた状態で保持された、綴じ部を有する原稿のページを読み取る原稿読取装置と、原稿読取装置に用いられる読取機構とに関する。
【背景技術】
【０００２】
従来から、原稿に記された文字等の情報を読み取る原稿読取装置が知られている。また、原稿読取装置の一形態として、原稿台となる平らな読取窓（プラテン）を備え、このプラテンに沿って読取ユニットが平行に移動するフラットベッド型の原稿読取装置が知られている。読取ユニットから原稿に光を照射し、プラテン上に置かれた原稿で反射された光を読取ユニットの受光素子によって受光することで、原稿の読み取りが可能になる。
【０００３】
フラットベッド型の原稿読取装置を用いて、本等の綴じ部を有する原稿（以下、冊子）の読み取りを行う場合、冊子は、読み取られる頁を開いた状態で平らなプラテン上に下向きに配置される。読み取られる頁とプラテンとが接するので、読み取られる頁は、冊子の綴じ部で湾曲する。その結果、冊子を読み取ることで生成される画像は、冊子の綴じ部近辺において歪んだ状態になる。また、綴じ部近辺の歪みを防止する目的で冊子をプラテンに対して押し付けた場合、冊子の綴じ部に負荷がかかり、冊子を痛める恐れがある。従って、フラットベッド型の原稿読取装置は、冊子の読取には不向きである。
【０００４】
上記したフラットベッド型の原稿読取装置の欠点を解決するための構成として、２つのプラテンを山形に接合する方法が知られている。例えば特許文献１に開示のスキャナ装置では、プラテンを有する２つの斜面が山形に連結される。そして、投光部と受光部とを備えた光学ユニットが、このプラテンの内側面に沿って走行する。プラテンを山形に接合することで、冊子を読み取る際に、綴じ部近辺の歪みや綴じ部にかかる負荷を軽減することができる。
【先行技術文献】
【特許文献】
【０００５】
【特許文献１】特開２００６−３０３８６４号公報
【発明の概要】
【発明が解決しようとする課題】
【０００６】
特許文献１に記載のスキャナ装置では、山形に接合されたプラテンの外側面上に冊子がセットされ、プラテンの内側面に沿って走行する光学ユニットがプラテンを介して冊子を読み取る。プラテンは山形に接合されているので、プラテン同士の間隔は、プラテンの接合部分に近づくに従い狭くなる。そのため、プラテン同士の間隔が光学ユニットのサイズよりも狭くなるプラテンの接合部分には、光学ユニットが移動不可能となる。従って、冊子の綴じ部に近い位置の読み取りは、特許文献１に記載のスキャナ装置では困難である。
【０００７】
本発明は、冊子の綴じ部に近い位置の読み取りが可能な、原稿読取装置及び原稿読取装置に用いられる読取機構を提供することを目的とする。
【課題を解決するための手段】
【０００８】
この目的を達成するために、請求項１に記載の発明は、所定の開き角で上方に開いた状態で接合される２つの斜面を有し、綴じ部を有する原稿を、原稿の背表紙が前記２つの斜面の接合部分に位置するように保持する原稿保持台と、被読取面を上にして開いた状態で前記原稿保持台に保持された原稿の被読取面を読み取るために、複数の受光素子を有し、前記綴じ部に沿った方向に被読取面の画像を取得するラインセンサと、被読取面と前記ラインセンサとの間の光路中に設けられ、被読取面の像を前記ラインセンサに結像する結像光学系と、被読取面と前記結像光学系との間の光路中に設けられ、被読取面からの反射光を前記結像光学系に導く角柱状の導光プリズムと、を含む読取ユニットと、前記原稿保持台に設けられ、前記読取ユニットを移動可能に案内する読取ユニット案内機構と、前記読取ユニットを、前記導光プリズムの第１側面が被読取面に相対した状態で、被読取面に沿うようにして前記綴じ部方向に移動させる読取ユニット移動機構と、被読取面を照らす光源とを備え、前記第１側面と前記導光プリズムの第２側面とで形成される導光プリズム頂角は、前記綴じ部に挿入され、前記第２側面は、前記第１側面から前記導光プリズム内部に入射した被読取面からの反射光を全反射し、前記導光プリズムは、前記第２側面で全反射した被読取面からの反射光を前記結像光学系に対して出射し、前記所定の開き角は、前記導光プリズム頂角の角度以上である、ことを特徴とする。
【０００９】
請求項２に記載の発明は、請求項１に記載の発明において、前記ラインセンサは、前記第１側面における前記導光プリズム頂角に隣接する頂角隣接部と相対する被読取面の画像を取得可能なように、前記頂角隣接部と相対する被読取面と共役な位置に設けられる、ことを特徴とする。
【００１０】
請求項３に記載の発明は、請求項１又は２に記載の発明において、前記第１側面はさらに、前記第２側面が被読取面に相対する場合に、前記第２側面から前記導光プリズムの内部に入射した被読取面からの反射光を全反射し、前記結像光学系はさらに、前記第１側面が被読取面に相対する場合に、前記第２側面で全反射され前記導光プリズムから前記結像光学系に対して出射する被読取面からの反射光が前記ラインセンサに結像するように、光路を切り替え、前記第２側面が被読取面に相対する場合に、前記第１側面で全反射され前記導光プリズムから前記結像光学系に対して出射する被読取面からの反射光が前記ラインセンサに結像するように、光路を切り替える光路切替機構を有する、ことを特徴とする。
【００１１】
請求項４に記載の発明は、請求項１〜３の何れか１項に記載の発明において、前記光源は、前記導光プリズム中に設けられる、ことを特徴とする。
【００１２】
請求項５に記載の発明は、綴じ部を有する原稿を読み取る原稿読取装置に用いられる読取機構であって、複数の受光素子を有し、被読取面の前記綴じ部に沿った方向に画像を取得するラインセンサと、被読取面と前記ラインセンサとの間の光路中に設けられ、被読取面の像を前記ラインセンサに結像する結像光学系と、被読取面と前記結像光学系との間の光路中に設けられ、被読取面からの反射光を前記結像光学系に導く角柱状の導光プリズムとを備え、前記導光プリズムの第１側面と前記導光プリズムの第２側面とで形成される導光プリズム頂角は、前記綴じ部に挿入され、  前記第２側面は、被読取面に相対する前記第１側面から前記導光プリズム内部に入射した被読取面からの反射光を全反射し、前記導光プリズムは、前記第２側面で全反射した被読取面からの反射光を前記結像光学系に対して出射する、ことを特徴とする。
【００１３】
請求項６に記載の発明は、請求項５に記載の発明において、前記ラインセンサは、前記第１側面における前記導光プリズム頂角に隣接する頂角隣接部と相対する被読取面の画像を取得可能なように、前記頂角隣接部と相対する被読取面と共役な位置に設けられる、ことを特徴とする。
【００１４】
請求項７に記載の発明は、請求項５又は６に記載の発明において、前記第１側面はさらに、前記第２側面が被読取面に相対する場合に、前記第２側面から前記導光プリズムの内部に入射した被読取面からの反射光を全反射し、前記結像光学系はさらに、前記第１側面が被読取面に相対する場合に、前記第２側面によって全反射され前記導光プリズムから前記結像光学系に対して出射した被読取面からの反射光が前記ラインセンサに結像するように、光路を切り替え、前記第２側面が被読取面に相対する場合に、前記第１側面によって全反射され前記導光プリズムから前記結像光学系に対して出射した被読取面からの反射光が前記ラインセンサに結像するように、光路を切り替える光路切替機構を含む、ことを特徴とする。
【００１５】
請求項８に記載の発明は、請求項５〜７の何れか１項に記載の発明において、被読取面を照らすために、前記導光プリズム中に設けられる光源をさらに備える、ことを特徴とする。
【発明の効果】
【００１６】
請求項１に記載の発明では、被読取面を読み取る読取ユニットに導光プリズムが含まれる。被読取面からの反射光は、被読取面に相対する導光プリズムの第１側面に入射し、導光プリズムの第２側面での全反射によって結像光学系に導かれる。結像光学系に導かれた被読取面からの反射光は、ラインセンサに結像する。ここで、第１側面と第２側面とで形成される導光プリズム頂角が、綴じ部を有する原稿の綴じ部に侵入する。従って、原稿の綴じ部に近い位置まで、読み取ることが可能になる。
【００１７】
請求項２に記載の発明では、ラインセンサが、第１側面における導光プリズム頂角に隣接する頂角隣接部と相対する被読取面の画像を取得可能なように、頂角隣接部と相対する被読取面と共役な位置に設けられる。従って、導光プリズム頂角に隣接する頂角隣接部を用いることで、原稿の綴じ部に更に近づいた位置までの読み取りが可能となる。
【００１８】
請求項３に記載の発明では、導光プリズムの第２側面が被読取面に相対する場合に、第２側面から導光プリズムの内部に入射した被読取面からの反射光が、第１側面で全反射し、結像光学系に導かれる。そして、結像光学系が光路切替機構を有することにより、第１側面だけでなく、第２側面を被読取面に相対させることによっても、読取が可能になる。従って、綴じ部に対して一方の頁の被読取面を第１側面を相対させることで読み取り、他方の頁の被読取面を第２側面を相対させることで読み取ることが可能になり、２つの面を用いた効率の良い読み取りが可能になる。
【００１９】
請求項４に記載の発明では、光源が導光プリズム中に一体として設けられる。光源が被読取面に近い位置に設けられることによって、光源の消費電力を抑えつつ、被読取面に十分な光量を供給することができる。
【００２０】
請求項５に記載の発明では、被読取面を読み取る読取ユニットに導光プリズムが含まれる。被読取面からの反射光は、被読取面に相対する導光プリズムの第１側面に入射し、導光プリズムの第２側面での全反射によって結像光学系に導かれる。結像光学系に導かれた被読取面からの反射光は、ラインセンサに結像する。ここで、第１側面と第２側面とで形成される導光プリズム頂角が、綴じ部を有する原稿の綴じ部に侵入する。従って、原稿の綴じ部に近い位置まで、読み取ることが可能になる。
【００２１】
請求項６に記載の発明では、ラインセンサが、第１側面における導光プリズム頂角に隣接する頂角隣接部と相対する被読取面の画像を取得可能なように、頂角隣接部と相対する被読取面と共役な位置に設けられる。従って、導光プリズム頂角に隣接する頂角隣接部を用いることで、原稿の綴じ部に更に近づいた位置までの読み取りが可能となる。
【００２２】
請求項７に記載の発明では、導光プリズムの第２側面が被読取面に相対する場合に、第２側面から導光プリズムの内部に入射した被読取面からの反射光が、第１側面で全反射し、結像光学系に導かれる。そして、結像光学系が光路切替機構を有することにより、第１側面だけでなく、第２側面を被読取面に相対させることによっても、読取が可能になる。従って、綴じ部に対して一方の頁の被読取面を第１側面を相対させることで読み取り、他方の頁の被読取面を第２側面を相対させることで読み取ることが可能になり、２つの面を用いた効率の良い読み取りが可能になる。
【００２３】
請求項８に記載の発明では、光源が導光プリズム中に一体として設けられる。光源が被読取面に近い位置に設けられることによって、光源の消費電力を抑えつつ、被読取面に十分な光量を供給することができる。
【図面の簡単な説明】
【００２４】
【図１】製本原稿読取装置１の平面図及び正面図。
【図２】移動機構２００の部分断面模式図。
【図３】読取ユニット１００の断面模式図。
【図４】読取ユニット１００の光路を説明する図。
【図５】製本原稿読取装置１の機能的構成を示すブロック図。
【図６】製本原稿読取装置１の読取動作を説明するフローチャート。
【図７】製本原稿読取装置１の読取動作を説明する図。
【図８】読取ユニット７００の光路を説明する図。
【００２５】
＜本発明の実施形態＞
［本発明の概観説明］
図１は、本発明の実施形態に係る原稿読取装置１を示す図である。図１（ａ）が原稿読取装置１の平面図であり、図１（ｂ）が原稿読取装置１の正面図である。原稿読取装置１は、原稿読取装置１の筐体２と、その筐体２に対して取り付けられる原稿保持台５０、鉛直案内シャフト６０、読取ユニット１００及び移動機構２００とを備える。
【００２６】
筐体２は、土台１０、鉛直フレーム２０、水平案内シャフト３０及び奥行フレーム４０によって構成される。土台１０は、筐体２の底面となる平面視略矩形の台である。図１において、土台１０は、ｘｙ平面に平行に表わされる。土台１０の四隅に設けられる４本の鉛直フレーム２０は、土台１０に対して直交するように起立する。図１において、鉛直フレーム２０は、ｚ軸に平行に表わされる。一対に設けられる水平案内シャフト３０は、鉛直フレーム２０に対して直交する。水平案内シャフト３０の両端は、鉛直フレーム２０に固定される。図１において、水平案内シャフト３０は、ｘ軸に平行に表わされる。水平案内シャフト３０には、読取ユニット１００をｘ軸に沿って移動可能にするために、ラック３１が設けられる。一対に設けられる奥行フレーム４０は、鉛直フレーム２０及び水平案内シャフト３０に対して直交する。奥行フレーム４０の両端は、水平案内シャフト３０に固定される。図１において、奥行フレーム４０は、ｙ軸に平行に表わされる。
【００２７】
筐体２に対して取り付けられる構成要素である、原稿保持台５０、鉛直案内シャフト６０、読取ユニット１００及び移動機構２００の説明を行う。原稿保持台５０は、所定の開き角で上方（図１におけるｚ軸正方向）に開いた状態で接合される２つの斜面５０ａ，５０ｂを有する。原稿保持台５０は、２つの斜面５０ａ，５０ｂの接合部分５０ｃがｙ軸に沿うようにして、台座１０及び鉛直フレーム２０に固定される。この原稿保持台５０上に、綴じ部を有する原稿である冊子ＢＫが、被読取面を上にして開いた状態で保持される。このとき、冊子ＢＫの背表紙は、２枚の斜面５０ａ，５０ｂの接合部分５０ｃに位置する。即ち、図１において、冊子ＢＫの綴じ部はｙ軸に平行となる。ここで、原稿保持台５０の接合部分５０ｃにおける所定の開き角は、後記する導光プリズム１３０の頂角１３３が冊子ＢＫの綴じ部に侵入可能になる様に、頂角１３３の角度αに等しく設定される。勿論、所定の開き角は、頂角１３３の角度αより大きくても良い。一対に設けられる移動機構２００（詳細構成は後記）は、ｘ軸に沿って摺動自在なように、水平案内シャフト３０に夫々保持される。一対に設けられる鉛直案内シャフト６０は、ｚ軸に沿って摺動自在なように、移動機構２００に保持される。鉛直案内シャフト６０には、読取ユニット１００をｚ軸に沿って移動可能にするために、ラック６１が設けられる。読取ユニット１００は、後記する導光プリズム１３０の頂角１３３が冊子ＢＫの綴じ部に挿入可能なように、鉛直案内シャフト６０に取り付けられる。この読取ユニット１００が、冊子ＢＫの被読取面を読み取るために、被読取面に沿うように移動する。
【００２８】
［移動機構２００の説明］
図２は、移動機構２００の部分断面模式図である。以下、この図２を用いて、移動機構２００の構成を説明する。尚、図１において一対に設けられる移動機構２００は、どちらも同様な構成となっている。そのため、図２では、ｙ軸負方向側に位置する移動機構２００が代表として説明され、ｙ軸正方向側に位置する移動機構２００の説明は省略される。図２（ａ）は、移動機構２００の平面視部分断面模式図である。図２（ｂ）は、移動機構２００の正面視部分断面模式図である。移動機構２００の内部には、ステッピングモータ２１１、ステッピングモータ２２１、ピニオンギア２１２、ピニオンギア２２２が設けられる。移動機構２００の外壁には、水平原点検知部２３０及び鉛直原点検知部２４０が設けられる。
【００２９】
ステッピングモータ２１１は、移動機構２００の内壁に固定される。ステッピングモータ２１１の回動軸には、ピニオンギア２１２と噛み合う小ギア２１１ａが設けられる。ピニオンギア２１２は、小ギア２１１ａ及び水平案内シャフト３０に設けられたラック３１と噛み合う。ステッピングモータ２１１が一の方向に回転した場合、小ギア２１１ａの一の方向への回転がピニオンギア２１２に伝達される。そして、移動機構２００、鉛直案内シャフト６０及び読取ユニット１００が、ｘ軸正方向に移動する。また、ステッピングモータ２１１が他の方向に回転した場合、小ギア２１１ａの他の方向への回転がピニオンギア２１２に伝達される。そして、移動機構２００と、移動機構２００に保持されている鉛直案内シャフト６０及び読取ユニット１００とが、ｘ軸負方向に移動する。
【００３０】
ステッピングモータ２２１は、移動機構２００の内壁に固定される。ステッピングモータ２２１の回動軸には、ピニオンギア２２２と噛み合う小ギア２２１ａが設けられる。ピニオンギア２２２は、小ギア２２１ａ及び鉛直案内シャフト６０に設けられたラック６１と噛み合う。ステッピングモータ２２１が一の方向に回転した場合、小ギア２２１ａの一の方向への回転がピニオンギア２２２に伝達される。そして、鉛直案内シャフト６０及び読取ユニット１００が、ｚ軸正方向に移動する。また、ステッピングモータ２２１が他の方向に回転した場合、小ギア２２１ａの他の方向への回転がピニオンギア２２２に伝達される。そして、鉛直案内シャフト６０及び読取ユニット１００が、ｚ軸負方向に移動する。
【００３１】
水平原点検知部２３０は、読取ユニット１００のｘ軸方向の原点位置を検知するために、移動機構２００のｘ軸負方向側の外壁に設けられる。水平原点検知部２３０は、移動機構２００がｘ軸負方向の端（ｘ軸方向原点位置）まで移動したときに、奥行フレーム４０に接触する。水平原点検知部２３０と奥行フレーム４０との接触によって、読取ユニット１００の位置が、ｘ軸負方向の端であると検知される。水平原点検知部２３０は、例えば接触スイッチによって構成される。あるいは、水平原点検知部２３０は、位置検知部２３０と奥行フレーム４０とが近接していることを、近接スイッチや反射型光センサ等を用いて検知するように構成されても良い。
【００３２】
鉛直原点検知部２４０は、は、読取ユニット１００のｚ軸方向の原点位置を検知するために、移動機構２００のｚ軸負方向側の外壁に設けられる。鉛直原点検知部２４０は、読取ユニット１００がｚ軸正方向の端（ｚ軸方向原点位置）まで移動したときに、読取ユニット１００に接触する。鉛直原点検知部２４０と読取ユニット１００との接触によって、読取ユニット１００の位置が、ｚ軸正方向の端であると検知される。鉛直原点検知部２４０は、前記した水平原点検知部２３０と同じようにして構成することができる。
【００３３】
［読取ユニット１００の説明］
図３は、読取ユニット１００の正面断面模式図である。以下、この図３を用いて、読取ユニット１００の構成を説明する。読取ユニット１００は、ラインセンサ１１０、結像光学系１２０及び導光プリズム１３０を有する。
【００３４】
ラインセンサ１１０は、綴じ部に沿った方向に被読取面の画像を取得するために、読取ユニット１００の内部に設けられる。具体的には、ラインセンサ１１０は、後記する導光プリズム１３０の頂角隣接部１３１ａ，１３２ａと相対する被読取面の画像を取得可能なように、頂角隣接部１３１ａ，１３２ａと相対する被読取面と共役な位置に設けられる。ラインセンサ１１０は、一列に並んだ複数の受光素子を有し、例えば東芝セミコンダクター社製のＴＣＤ２９１４ＢＦＧを用いて構成できる。
【００３５】
結像光学系１２０は、被読取面の像をラインセンサ１１０に結像するために、被読取面とラインセンサ１１０との間の光路中に設けられる。結像光学系１２０は、結像レンズ１２１、光路切替ミラー１２２、第１反射ミラー１２３、第２反射ミラー１２４、ソレノイド１２５及びつるまきバネ１２６を含む。結像レンズ１２１は、被読取面からの反射光を集光し、被読取面の像をラインセンサ１１０に結像する。結像レンズ１２１は、図３では簡単のために一枚の凸レンズで表わされるが、複数の光学素子を組み合わせたレンズ系で構成されても良い。光路切替ミラー１２２は、第１反射ミラー１２３及び第２反射ミラー１２４からの光を、選択的に結像レンズ１２１に導く（光路切替に係る説明は後記）。光路切替ミラー１２２は、ｙ軸に沿う回動軸を中心として回動自在に読取ユニット１００の内壁に保持される。第１反射ミラー１２３は、導光プリズム１３０の後記する第１側面１３１から入射した被読取面からの反射光を、光路切替ミラー１２２に向けて反射する。第２反射ミラー１２４は、導光プリズム１３０の後記する第２側面１３２から入射した被読取面からの反射光を、光路切替ミラー１２２に向けて反射する。読取ユニット１００の内壁に固定されるソレノイド１２５は、ｘ軸に沿って摺動するソレノイドシャフト１２５ａを有する。ソレノイドシャフト１２５ａの先端は、ワイヤーを介して光路切替ミラー１２２に接続される。ｘ軸に沿って設けられるつるまきバネ１２６は、その一端において読取ユニット１００の内壁に固定され、その他端において光路切替ミラー１２２に接続される。つるまきバネ１２６は、ｘ軸正方向側に向かう付勢力を、光路切替ミラー１２２に与える。
【００３６】
光路切替ミラー１２２は、ソレノイド１２５及びつるまきバネ１２６の作用によって、第１反射ミラー１２３及び第２反射ミラー１２４からの光を、選択的に結像レンズ１２１に導く。以下、この作用を説明する。ソレノイド１２５に電流が流れていない状態では、つるまきバネ１２６が発生するｘ軸正方向側に向かう付勢力によって、光路切替ミラー１２２が、切替ミラー１２２の中心を通る回動軸を中心にして、図３において時計回りに回動する。このとき、光路切替ミラー１２２は、第１反射ミラー１２３からの光を、結像レンズ１２１に導く。一方、ソレノイド１２５に電流が流れている状態では、ソレノイドシャフト１２５ａが、つるまきバネ１２６が発生するｘ軸正方向側に向かう付勢力に抗して、ｘ軸負方向側に移動する。その結果、光路切替ミラー１２２は、切替ミラー１２２の中心を通る回動軸を中心にして、図３において反時計回りに回動する。このとき、光路切替ミラー１２２は、第２反射ミラー１２４からの光を、結像レンズ１２１に導く。
【００３７】
角柱状の導光プリズム１３０は、被読取面からの反射光を結像光学系１２０に導くために、被読取面と結像光学系１２０との間の光路中に設けられる。導光プリズム１３０は、光学ガラスを用いて、ガラスモールド法によって成型される。但し、アクリル等の透明樹脂素材を用いて、射出成型によって成型されても良い。導光プリズム１３０は、第１側面１３１、第２側面１３２、頂角１３３及び光源１３４を含む。第１側面１３１は、導光プリズム１３０が有する一側面で、図３において読取ユニット１００のｘ軸負方向側に位置する。第２側面１３２は、導光プリズム１３０が有する他の側面で、図３において読取ユニット１００のｘ軸正方向側に位置する。第１側面１３１及び第２側面１３２は、読取ユニット１００の外部に露出する。頂角１３３は、第１側面１３１と第２側面１３２とで形成される、導光プリズム１３０の頂角である。第１側面１３１及び第２側面１３２の、頂角１３３に隣接する部分は、頂角隣接部１３１ａ，１３２ａである。この頂角１３３が冊子ＢＫの綴じ部に侵入し、頂角隣接部１３１ａ，１３２ａに入射した被読取面からの反射光が結像光学系１２０に導かれることで、冊子ＢＫの綴じ部に近い位置の読取が可能となる。
【００３８】
光源１３４は、冊子ＢＫの被読取面を照らすために、導光プリズム１３０中に一体として設けられる。具体的には、光源１３４に係合するための係合孔が導光プリズム１３０に設けられ、光源１３４はこの係合孔に挿入される。ＬＥＤや蛍光管等の光源が、光源１３４として採用される。光源１３４が導光プリズム１３０中に一体として設けられることで、光源１３４と被読取面との距離が近くなる。その結果、光源１３４の消費電力を抑えつつ、被読取面に十分な光量を供給することができる。
【００３９】
［光路の説明］
図４は、読取ユニット１００の光路を説明する図である。尚、ソレノイド１２５、ソレノイドシャフト１２５ａ、つるまきバネ１２６及び読取ユニット１００の筺体部分は、簡単のために図４には図示されない。以下、冊子ＢＫの被読取面からの反射光が通過する順番に従って、読取ユニット１００の光路を説明する。
【００４０】
図４（ａ）は、第１反射ミラー１２３からの光が結像レンズ１２１に導かれる状態を示す。被読取面からの反射光Ｌａ１は、冊子ＢＫの被読取面に相対する第１側面１３１の頂角隣接部１３１ａを通過して導光プリズム１３０内部に入射する。ここで、第１側面１３１と被読取面とは平行になる様に相対するので、反射光Ｌａ１は、頂角隣接部１３１ａに垂直に入射する。頂角隣接部１３１ａから導光プリズム１３０内部に入射した反射光Ｌａ１は、第２側面１３２によって全反射される。反射光Ｌａ１は頂角隣接部１３１ａに垂直に入射するので、反射光Ｌａ１の第２側面１３２への入射角は、導光プリズム１３０の頂角１３３の角度αに等しくなる。即ち、反射光Ｌａ１が第２側面１３２によって全反射されるためには、頂角１３３の角度α（図４では非図示）が臨界角θｍ以上である必要がある。導光プリズム１３０の屈折率をｎと表記すると、空気の屈折率は略「１」なので、臨界角θｍはスネルの法則より、
【数１】
2010233024.tif 000003
【００４１】
が成立する。一例として、導光プリズム１３０の素材としてＢＫ７（屈折率≒１．５１）が用いられる場合、上記（数１）より臨界角は「θｍ≒４１．５°」となり、頂角αは条件「α≧４１．５」を満たす必要がある。第２側面１３２によって全反射された反射光Ｌａ２は、導光プリズム１３０から出射した後に、第１反射ミラー１２３によって反射される。第１反射ミラー１２３によって反射された反射光Ｌａ３は、光路切替ミラー１２２に入射する。このとき、ソレノイド１２５には電流が流れていない。従って、光路切替ミラー１２２は、つるまきバネ１２６が発生する付勢力によって、第１反射ミラー１２３からの光を結像レンズ１２１に導くことが可能な位置に保持される。光路切替ミラー１２２によって反射された反射光Ｌａ４は、結像レンズ１２１によって集光され、ラインセンサ１１０上に結像する。
【００４２】
図４（ｂ）は、第２反射ミラー１２４からの光が結像レンズ１２１に導かれる状態を示す。被読取面からの反射光Ｌｂ１は、冊子ＢＫの被読取面に相対する第２側面１３２の頂角隣接部１３２ａを通過して導光プリズム１３０内部に入射する。ここで、図４（ａ）の場合と同様に、第２側面１３２と被読取面とは平行になる様に相対する。第２側面１３２の頂角隣接部１３２ａから導光プリズム１３０内部に垂直に入射した反射光Ｌｂ１は、第１側面１３１によって全反射される。第１側面１３１によって全反射された反射光Ｌｂ２は、導光プリズム１３０から出射した後に、第２反射ミラー１２４によって反射される。第２反射ミラー１２４によって反射された反射光Ｌｂ３は、光路切替ミラー１２２に入射する。このとき、ソレノイド１２５には電流が流れている。従って、光路切替ミラー１２２は、ソレノイドシャフト１２５ａによって、第２反射ミラー１２４からの光を結像レンズ１２１に導くことが可能な位置に保持される。光路切替ミラー１２２によって反射された反射光Ｌｂ４は、結像レンズ１２１によって集光され、ラインセンサ１１０上に結像する。
【００４３】
［ブロック図の説明］
図５は、原稿読取装置１の機能的な構成を説明するブロック図である。原稿読取装置１の機能的な構成は、読取ユニット１００、移動機構２００、インターフェース５００及び制御部３００を含む。これらの構成要素は、相互にバス４００に接続される。
【００４４】
制御部３００は、原稿読取装置１の動作を制御するための構成で、例えばＣＰＵ，ＲＯＭ，ＲＡＭ等によって構成される。制御部３００は、被読取面の読み取りに際し、所定のプログラムを実行することで、読取ユニット１００、移動機構２００及びインターフェース５００の動作を制御する。
【００４５】
読取ユニット１００は、ラインセンサ１１０、ソレノイド１２５、光源１３４及びこれらの構成を制御するための種々の制御回路（非図示）を含む。以下、個々の構成の機能的な動作に関して説明する。
【００４６】
ラインセンサ１１０は、制御部３００からの制御信号に応じて制御される。ラインセンサ１１０の個々の受光素子は、結像した被読取面の像の光量に応じた電荷を出力する。ラインセンサ１１０は、個々の受光素子が生じた電荷に応じた出力電圧を出力する。この出力電圧は、Ａ／Ｄコンバータ（非図示）によってデジタイズされた後に、ＶＲＡＭ（非図示）に一時記憶される。全ての受光素子からのデジタイズされた出力電圧がこのＶＲＡＭに一時記憶された後に、読取ユニット１００は、ＶＲＡＭに一時記憶されたこの出力電圧を、後記するパソコン６００にインターフェス５００を介して画像信号として送信する。
【００４７】
ソレノイド１２５は、制御部３００からの制御信号に応じて、電流が流れていない状態と、電流が流れている状態との、２つの状態を取ることができる。ソレノイド１２５に電流が流れてない状態では、光路切替ミラー１２２は、第１側面１３１から入射する被読取面からの反射光を、ラインセンサ１１０に導く（図４（ａ）参照）。一方、ソレノイド１２５に電流が流れている状態では、光路切替ミラー１２２は、第２側面１３２から入射する被読取面からの反射光を、ラインセンサ１１０に導く（図４（ｂ）参照）。
【００４８】
光源１３０は、制御部３００からの制御信号に応じて、発光及び消灯を行う。
【００４９】
移動機構２００は、水平移動機構２１０、鉛直移動機構２２０、水平原点検知部２３０、鉛直原点検知部２４０及びこれらの構成を制御するための種々の制御回路（非図示）を含む。以下、個々の構成の機能的な動作に関して説明する。
【００５０】
水平移動機構２１０は、ステッピングモータ２１１を含む。ステッピングモータ２１１は、制御部３００からの制御信号に応じて、移動機構２００と、移動機構２００に保持される鉛直案内シャフト６０及び読取ユニット１００とを、水平方向（図１におけるｘ軸方向）に移動させる。具体的には、制御部３００からの制御信号に応じてパルス電流を発生する駆動回路（非図示）が移動機構２００に設けられ、ステッピングモータ２１１は、この駆動回路からのパルス電流によって駆動される。この駆動回路は、ステッピングモータ２１１に送信したパルス数を計数する機能を備える。計数されたパルス数は、水平位置信号として移動機構２００から制御部３００に送信され、読取ユニット１００の水平方向への移動量を決定するために用いられる。
【００５１】
鉛直移動機構２２０は、ステッピングモータ２２１を含む。ステッピングモータ２２１は、制御部３００からの制御信号に応じて、鉛直案内シャフト６０及び読取ユニット１００を鉛直方向（図１におけるｚ軸方向）に移動させる。ステッピングモータ２２１は、ステッピングモータ２１１と同様に、移動機構２００に設けられた駆動回路（非図示）からのパルス電流によって駆動される。この駆動回路が係数したパルス数は、鉛直位置信号として移動機構２００から制御部３００に送信され、読取ユニット１００の鉛直方向への移動量を決定するために用いられる。
【００５２】
水平原点検知部２３０は、読取ユニット１００のｘ軸方向（水平方向）の原点位置を決定する。具体的には、移動機構２００がｘ軸負方向の端（ｘ軸原点位置）まで移動したときに、水平原点検知部２３０と奥行フレーム４０とが接触することで、水平原点信号が発生する。発生した水平原点信号は、水平原点検知部２３０から制御部３００に送信される。
【００５３】
鉛直原点検知部２４０は、読取ユニット１００のｚ軸方向（鉛直方向）の原点位置を決定する。具体的には、読取ユニット１００がｚ軸正方向側の端（ｚ軸原点位置）まで移動したときに、鉛直原点検知部２４０と読取ユニット１００とが接触することで、鉛直原点信号が発生する。発生した鉛直原点信号は、鉛直原点検知部２４０から制御部３００に送信される。
【００５４】
インターフェース５００は、信号の物理的又は論理的な形式を変換する。インターフェース５００には、例えば、パソコン６００が接続される。インターフェース５００の規格には、ＬＡＮ、ＵＳＢ、ＩＥＥＥ１３９４等が含まれる。パーソナルコンピュータ６００からインターフェース５００に入力された伝送信号は、インターフェース５００で変換された後に、バス４００に伝送される。また、バス４００からインターフェース５００に入力された信号は、インターフェース５００で伝送信号に変換された後に、パソコン６００に伝送される。ユーザは、パソコン６００が備える入力装置（例えば、マウスやキーボード）を操作することにより、インターフェース５００を介して原稿読取装置１を操作できる。また、インターフェス５００は、被読取面の画像をパソコン６００で保存するために、読取ユニット１００から送信される画像信号を、パソコン６００に伝送信号として伝送する。但し、インターフェース６００にタッチパネル等の操作部及び画像信号を記憶する記憶手段（フラッシュメモリ等）が接続されてもよい。この場合、操作部によって原稿読取装置１が操作され、画像信号が記憶手段に記憶される。
【００５５】
［読取動作の説明］
図６は、製本原稿読取装置１の読取動作を説明するフローチャートである。図７は、製本原稿読取装置１の読取動作過程を説明する図である。図７（ａ）は、読取ユニット１００が原点位置に存在する状態を示す。図７（ｂ）は、第１側面１３１を用いた読み取りが行われている状態を示す。図７（ｃ）は、読取ユニット１００の頂角１３３が冊子ＢＫの綴じ部に侵入し、第１側面１３１を用いた読み取りが完了した状態を示す。図７（ｄ）は、第２側面１３２を用いた読み取りが行われている状態を示す。図７（ｅ）は、第２側面１３２を用いた読み取りが完了した状態を示す。尚、図７（ｂ）〜（ｅ）において、図７（ａ）に示される構成と同一の構成は、符号の記載が省略される。以下、図５〜図７を用いて、製本原稿読取装置１が行う一連の読取動作を説明する。
【００５６】
まず、ユーザが、冊子ＢＫを見開いた状態で原稿保持台５０に設置する。その後、ユーザがパソコン６００を操作することで、被読取面の読み取りが開始される。被読取面の読み取りが開始されると、制御部３００は、移動機構２００に制御信号を送信することで、読取ユニット１００を図７（ａ）に示される原点位置に移動させる（ステップＳ１）。具体的には、水平移動機構２１０は、制御部３００からの制御信号に応じて、移動機構２００と、移動機構２００に保持されている鉛直案内シャフト６０及び読取ユニット１００とを、ｘ軸負方向に移動させる。同様に、鉛直移動機構２２０は、制御部３００からの制御信号に応じて、鉛直案内シャフト６０及び読取ユニット１００を、ｚ軸正方向に移動させる。その後、制御部３００は、処理をステップＳ２に移行する。
【００５７】
ステップＳ２において、制御部３００は、読取ユニットが原点位置に到達したか否かを判断する（ステップＳ２）。読取ユニット１００が図７（ａ）に示される原点位置に到達した場合、水平原点検知部２３０と奥行フレーム４０とが接触することで発生した水平原点信号が、水平原点検知部２３０から制御部３００に送信される。また、鉛直原点検知部２４０と読取ユニット１００とが接触することで発生した鉛直原点信号も同様に、鉛直原点検知部２４０から制御部３００に送信される。そこで、制御部３００は、水平原点信号及び鉛直原点信号を受信したか否かを判断することで、ステップＳ２の判断を行う。ステップＳ２の判断が肯定（Ｙ）の場合、制御部３００は、移動機構２００に制御信号を送信することで、水平移動機構２１０及び鉛直移動機構２２０を停止させる。その後、制御部３００は、処理をステップＳ３に移行する。一方、ステップＳ２の判断が否定（Ｎ）の場合、制御部３００は、処理をステップＳ１に戻す。即ち、読取ユニットが原点位置に到達するまで、ステップＳ１の処理が繰り返される。
【００５８】
ステップＳ３において、制御部３００は、読取ユニット１００に制御信号を送信することで、ソレノイド１２５を電流が流れていない状態にする。ステップＳ３における処理によって、光路切替ミラー１２２は図４（ａ）に示される位置に移動し、第１側面１３１を用いた読み取りが可能になる。その後、制御部３００は、処理をステップＳ４に移行する。
【００５９】
ステップＳ４において、制御部３００は、読取ユニット１００に制御信号を送信することで、ラインセンサ１１０に画像読み取りを開始させる。画像読み取りによって生じた画像信号は、読取ユニット１００からパソコン６００に対して逐次送信される。その後、制御部３００は、処理をステップＳ５に移行する。尚、ステップＳ４で開始された画像読み取りは、制御部３００から画像読み取りを中止する旨の制御信号が読取ユニット１００に対して送信されるまで継続される。
【００６０】
ステップＳ５において、制御部３００は、移動機構２００に制御信号を送信することで、読取ユニット１００を、冊子ＢＫのｘ軸負方向側に位置する一方の被読取面に沿うようにして移動させる。一方の被読取面のｘ軸方向に対する傾きは、原稿保持台の斜面５０ａのｘ軸方向に対する傾きに等しい。そのため、読取ユニット１００が、図７（ａ）に示される原点位置を開始位置として、（１）冊子ＢＫに接触しないように斜面５０ａから所定の間隔を保った状態で、（２）斜面５０ａに平行に移動するように、読取ユニット１００のｘ軸方向及びｚ軸方向の移動量が決定される。水平移動機構２１０及び鉛直移動機構２２０は、制御部３００からの制御信号に応じて、第１側面１３１が一方の被読取面に相対した状態を維持しながら、読取ユニット１００を一方の被読取面に沿うようにして移動させる（図７（ｂ）参照）。ここで、読取ユニット１００は、図示しない周知のオートフォーカス機能を備えている。このオートフォーカス機能は、ラインセンサ１１０上に一方の被読取面の画像が常に結像するように、制御部３００からの制御信号に従って駆動される。従って、冊子ＢＫの厚さが変化する等、読取ユニット１００と一方の被読取面との間隔が変化しても、常にピントの合った一方の被読取面の画像が得られる。ステップＳ５における処理によって、頂角隣接部１３１ａと相対する一方の被読取面をラインセンサ１１０に読み取らせることが可能になる。その後、制御部３００は、処理をステップＳ６に移行する。
【００６１】
読取ユニット１００の原点位置と原稿保持台５０の接合部分５０ｃとのｘ軸方向の距離は、予め定まっている。そこで、ステップＳ６において、制御部３００は、移動機構２００からの水平位置信号に基づいて、読取ユニット１００の頂角１３３が冊子ＢＫの綴じ部に侵入したか否かを判断する。図７（ｃ）に示される様に、読取ユニット１００の頂角１３３が冊子ＢＫの綴じ部に侵入した場合（ステップＳ６の判断が肯定（Ｙ））、換言すれば、一方の被読取面の読み取りが完了した場合、制御部３００は、移動機構２００に制御信号を送信することで水平移動機構２１０及び鉛直移動機構２２０を停止させた後に、処理をステップＳ７に移行する。一方、ステップＳ６の判断が否定の場合（Ｎ）、換言すれば、冊子ＢＫの一方の被読取面の読み取りが完了しない場合、制御部３００は、処理をステップＳ５に戻す。
【００６２】
ステップＳ７において、制御部３００は、読取ユニット１００に制御信号を送信することで、ラインセンサ１１０に画像読み取りを停止させる。その後、制御部３００は、処理をステップＳ８に移行する。
【００６３】
ステップＳ８において、制御部３００は、読取ユニット１００に制御信号を送信することで、光路の切替を行う。具体的には、制御部３００は、読取ユニット１００に制御信号を送信することで、ソレノイド１２５を電流が流れている状態にする。即ち、光路切替ミラー１２２は図４（ｂ）に示される位置に移動し、第２側面１３２を用いた読み取りが可能になる。その後、制御部３００は、処理をステップＳ９に移行する。
【００６４】
ステップＳ９において、制御部３００は、ステップＳ４と同様に、読取ユニット１００に制御信号を送信することで、ラインセンサ１１０に画像読取を開始させる。画像読み取りによって生じた画像信号は、逐次読取ユニット１００からパソコン６００に対して送信される。その後、制御部３００は、処理をステップＳ１０に移行する。
【００６５】
ステップＳ１０において、制御部３００は、移動機構２００に制御信号を送信することで、読取ユニット１００を被読取面に沿うようにして移動させる。読取ユニット１００のｘ軸方向及びｚ軸方向の移動量の決定方法は、ステップＳ５と同様であるので、ここでは説明を省略する。水平移動機構２１０及び鉛直移動機構２２０は、制御部３００からの制御信号に応じて、第２側面１３２が冊子ＢＫのｘ軸正方向側に位置する他方の被読取面に相対した状態を維持しながら、読取ユニット１００を他方の被読取面に沿うようにして移動させる（図７（ｄ）参照）。ステップＳ１０における処理によって、読取ユニット１００は、頂角隣接部１３２ａと相対する他方の被読取面をラインセンサ１１０に読み取らせることが可能になる。その後、制御部３００は、処理をステップＳ１１に移行する。
【００６６】
ステップＳ１１において、制御部３００は、移動機構２００からの水平位置信号に基づいて、読取ユニット１００がｘ軸正方向の端まで移動したか否かを判断する。ステップＳ１１の判断が肯定（Ｙ）の場合、換言すれば、図７（ｅ）に示される様に読取ユニット１００がｘ軸正方向の端まで移動した場合、制御部３００は、冊子ＢＫの他方の被読取面の読み取りが完了したと判断し、一連の処理を終了する。一方、ステップＳ１１の判断が否定（Ｎ）の場合、換言すれば、冊子ＢＫの他方の被読取面の読み取りが完了しない場合、制御部３００は、処理をステップＳ１０に戻す。
【００６７】
以上説明した一連の動作により、冊子ＢＫの一方の被読取面及び他方の被読取面が読み取られる。その後、ユーザは手動で冊子ＢＫのページをめくり、新たな被読取面の読み取りを再び開始する。
【００６８】
［実施形態の構成に基づく有利な効果］
上述したとおり、導光プリズム１３０の頂角１３３が冊子ＢＫの綴じ部に侵入し、頂角隣接部１３１ａ，１３２ａに入射した被読取面からの反射光が結像光学系１２０に導かれる。そして、ラインセンサ１１０は、導光プリズム１００の頂角隣接部１３１ａ，１３２ａと相対する被読取面の画像を取得可能なように、頂角隣接部１３１ａ，１３２ａと相対する被読取面と共役な位置に設けられる。この構成により、冊子ＢＫの綴じ部に近い位置の読取が可能となる。また、光路切替ミラー１２２、ソレノイド１２５及びつるまきバネ１２６によって、頂角隣接部１３１ａに入射する被読取面からの反射光と、頂角隣接部１３２ａに入射する被読取面からの反射光とを、切り替えてラインセンサ１１０に導くことができる。この構成により、第１側面１３１及び第２側面１３２の両面を用いた効率よい読み取りが可能になる。さらに、光源１３４が、導光プリズム１３０中に一体として設けられる。この構成により、光源１３４の消費電力を抑えつつ、被読取面に十分な光量を供給することができる。
【００６９】
＜変形例＞
本発明は、今までに述べた実施形態に限定されることは無く、その趣旨を逸脱しない範囲において種々の変形・変更が可能である。以下にその変形の一例を述べる。
【００７０】
前記した実施形態において、冊子ＢＫのページはユーザによって捲られる。しかし、原稿読取装置１は、自動的に冊子ＢＫのページをめくるための機構を備えてもよい。自動的にページをめくる機構としては、例えば特開昭６２−１３３９３号公報に開示の技術が利用可能である。
【００７１】
前記した実施形態において、ラインセンサ１１０は、一列に並んだ複数の受光素子を有する。しかし、複数の受光素子の列数は、一列に限定されない。例えば、カラーで読み取りを行うために、複数の受光素子が三列に並んだ構成などでも良い。この場合、赤，緑，青の各色に対応する複数の受光素子が、各列に相当する。勿論、三列以外でも良い。
【００７２】
前記した実施形態において、光源１３４は、導光プリズム１３０中に一体として設けられる。しかし、光源１３４は、導光プリズム１３０の外部に設けられても良い。例えば、光源１３４が、水平案内シャフト３０に設けられても、本発明の意図するところである。
【００７３】
前記した実施形態において、移動機構２００は、ステッピングモータ２１１、ステッピングモータ２２１、ピニオンギア２１２、ピニオンギア２２２を採用した構成を例に説明された。しかし、移動機構２００は、例えばタイミングベルト等、他の機構によって構成されても良い。
【００７４】
前記した実施形態において、読取ユニット１００は、図４に示されるような光路切替が可能なように構成される。しかし、光路切替のための構成を備えなくても良い。図８に、光路切替のための構成を備えない読取ユニット７００を示す。読取ユニット７００は、ラインセンサ７１０、結像光学系７２０及び導光プリズム７３０を有する。ラインセンサ７１０及び導光プリズム７３０は、前記した実施形態におけるラインセンサ１１０及び導光プリズム１３０と同様の構成である。結像光学系７２０は、結像レンズ７２１及び第１反射ミラー７２３を含む。前記した実施形態において結像光学系１２０が含む構成、即ち光路切替ミラー１２２、第２反射ミラー１２４、ソレノイド１２５及びつるまきバネ１２６は、結像光学系７２０には含まれない。従って、読取ユニット７００は、第１側面７３１を用いた読取のみが可能となる。読取ユニット７００は、読取ユニット１００よりも簡易に構成できるという利点がある。読取ユニット７００が、読取ユニット１００の代わりに前記した原稿読取装置１に用いられる場合、第１側面７３１をｘ軸負方向と正方向との両方向に露出させるための露出方向切替機構を、移動機構２００が備えれば良い。あるいは、第２側面７３２に入射した被読取面からの反射光に対し、結像光学系及びラインセンサが別途設けられても良い。
【符号の説明】
【００７５】
１  原稿読取装置
２  筐体
１０  土台
２０  鉛直フレーム
３０  水平案内シャフト
３１，６１  ラック
４０  奥行フレーム
５０  原稿保持台
５０ａ，５０ｂ  斜面
５０ｃ  接合部分
６０  鉛直案内シャフト
１００，７００  読取ユニット
１１０，７１０  ラインセンサ
１２０，７２０  結像光学系
１２１，７２１  結像レンズ
１２２  光路切替ミラー
１２３，７２３  第１反射ミラー
１２４  第２反射ミラー
１２５  ソレノイド
１２５ａ  ソレノイドシャフト
１２６  つるまきバネ
１３０，７３０  導光プリズム
１３１，７３１  第１側面
１３１ａ，１３２ａ  頂角隣接部
１３２，７３２  第２側面
１３３  頂角
１３４，７３４  光源
２００  移動機構
２１０  水平移動機構
２１１，２２１  ステッピングモータ
２１１ａ，２２１ａ  小ギア
２１２，２２２  ピニオンギア
２２０  鉛直移動機構
２３０  水平原点検知部
２４０  鉛直原点検知部
３００  制御部
４００  バス
５００  インターフェス
６００  パソコン
ＢＫ  冊子
Ｌａ１，Ｌａ２，Ｌａ３，Ｌａ４，Ｌｂ１，Ｌｂ２，Ｌｂ３，Ｌｂ４  被読取面からの反射光
【図１】
2010233024.tif 000004
【図２】
2010233024.tif 000005
【図３】
2010233024.tif 000006
【図４】
2010233024.tif 000007
【図５】
2010233024.tif 000008
【図６】
2010233024.tif 000009
【図７】
2010233024.tif 000010
【図８】
2010233024.tif 000011